(57)【要約】【課題】簡便にゲート制御試験を行うことができるゲート試験制御装置を提供することである。【解決手段】実施形態のゲート試験制御装置は、第１のボタンと、第２のボタンと、制御回路とを持つ。第１のボタンは、ダムのゲートの開閉状態を表す全開、開中、閉中及び全閉のいずれかの状態に対応する信号を出力させる。第２のボタンは、前記全開、前記開中、前記閉中及び前記全閉のいずれかの状態に対応する信号の出力を遮断させる。制御回路は、前記第１のボタン及び前記第２のボタンの操作に応じて所定の状態の信号を出力する。【選択図】図５
2020180494.tif 000002
【特許請求の範囲】
【請求項１】
ダムのゲートの開閉状態を表す全開、開中、閉中及び全閉のいずれかの状態に対応する信号を出力させる第１のボタンと、
前記全開、前記開中、前記閉中及び前記全閉のいずれかの状態に対応する信号の出力を遮断させる第２のボタンと、
前記第１のボタン及び前記第２のボタンの操作に応じて所定の状態の信号を出力する制御回路と、
を備えるゲート試験制御装置。
【請求項２】
前記制御回路は、前記第１のボタン又は前記第２のボタンのいずれかがオン状態の場合に、他方のボタンをオン状態にさせないインターロック機能を有するリレー回路を備える、
請求項１に記載のゲート試験制御装置。
【請求項３】
前記制御回路は、複数の制御線を備え、
前記制御線は、共通して利用される第１の信号線と、前記全開、前記開中、前記閉中及び前記全閉の状態それぞれに対応する複数の第２の信号線であり、
前記第１の信号線には、前記第１のボタンに対応するスイッチと、電磁力により可動する開閉部とが設けられ、
前記第２の信号線には、前記第２のボタンに対応するスイッチと、電磁力を利用して可動接点の動作を制御する可動接点制御部とが設けられる、
請求項１に記載のゲート試験制御装置。
【発明の詳細な説明】
【技術分野】
【０００１】
本発明の実施形態は、ゲート試験制御装置に関する。
【背景技術】
【０００２】
ダムを管理するダム管理システムでは、遠隔でダムゲートの開閉制御を行っている。ダムゲートの制御では、管理者が放流操作装置からゲート制御の操作を行い、ゲート盤がゲートを駆動させることによってゲートの開閉制御が行われる。ゲート制御時に何らかの異常が発生した場合にはゲートを緊急停止させる。従来、ゲートの開閉制御において、正常時のシーケンス及び異常発生時のシーケンス通りに動作することを確認するためにゲート制御試験が行われている。ゲート制御試験は、現地環境で行う場合と、工場内で行う場合とがあるが、一般的には工場内で試験が行われる。ゲート盤は現地環境でしか構築できないため、工場試験時にはゲート盤を模擬したゲート試験器を用いて試験を行う。異常発生時のシーケンスを確認するためには、異常状況を模擬する必要があり、機側盤とゲート試験器間の配線を正常時と異なる配線に変更しなければならない。したがって、ゲート制御試験を行うためには、機側盤のコネクタに挿し込まれている電線を外して配線を変更する必要がある。そのため、配線の変更作業に手間と時間がかかってしまう。このように、従来では、簡便にゲート制御試験を行うことができない場合があった。
【先行技術文献】
【特許文献】
【０００３】
【特許文献１】特開２０１４−５８７７６号公報
【特許文献２】特開２００１−１１７６２８号公報
【特許文献３】特開昭５３−２９４３４号公報
【発明の概要】
【発明が解決しようとする課題】
【０００４】
本発明が解決しようとする課題は、簡便にゲート制御試験を行うことができるゲート試験制御装置を提供することである。
【課題を解決するための手段】
【０００５】
実施形態のゲート試験制御装置は、第１のボタンと、第２のボタンと、制御回路とを持つ。第１のボタンは、ダムのゲートの開閉状態を表す全開、開中、閉中及び全閉のいずれかの状態に対応する信号を出力させる。第２のボタンは、前記全開、前記開中、前記閉中及び前記全閉のいずれかの状態に対応する信号の出力を遮断させる。制御回路は、前記第１のボタン及び前記第２のボタンの操作に応じて所定の状態の信号を出力する。
【図面の簡単な説明】
【０００６】
【図１】実施形態のゲート制御試験システムのシステム構成を示す図。
【図２】本実施形態におけるゲート試験制御装置の外観図。
【図３】ゲート制御試験の試験項目に対する強制ボタン及び遮断ボタンの操作方法を示す図。
【図４】本実施形態におけるゲート試験制御装置の内部構成を示す図。
【図５】本実施形態における制御回路の構成を示す図。
【図６】本実施形態におけるインターロック機能を説明するための図。
【図７】本実施形態におけるインターロック機能を説明するための図。
【図８】本実施形態におけるゲート制御試験時のゲート試験制御装置の操作方法を説明するための図。
【図９】本実施形態におけるゲート制御試験時のゲート試験制御装置の操作方法を説明するための図。
【図１０】本実施形態におけるゲート制御試験時のゲート試験制御装置の操作方法を説明するための図。
【図１１】本実施形態におけるゲート制御試験時のゲート試験制御装置の操作方法を説明するための図。
【図１２】本実施形態におけるゲート制御試験時のゲート試験制御装置の操作方法を説明するための図。
【図１３】本実施形態におけるゲート制御試験時のゲート試験制御装置の操作方法を説明するための図。
【図１４】本実施形態におけるゲート制御試験時のゲート試験制御装置の操作方法を説明するための図。
【図１５】本実施形態におけるゲート制御試験時のゲート試験制御装置の操作方法を説明するための図。
【図１６】本実施形態におけるゲート制御試験時のゲート試験制御装置の操作方法を説明するための図。
【図１７】本実施形態におけるゲート制御試験時のゲート試験制御装置の操作方法を説明するための図。
【図１８】本実施形態におけるゲート制御試験時のゲート試験制御装置の操作方法を説明するための図。
【図１９】本実施形態におけるゲート制御試験時のゲート試験制御装置の操作方法を説明するための図。
【図２０】本実施形態におけるゲート制御試験時のゲート試験制御装置の操作方法を説明するための図。
【図２１】本実施形態におけるゲート制御試験時のゲート試験制御装置の操作方法を説明するための図。
【図２２】本実施形態におけるゲート制御試験時のゲート試験制御装置の操作方法を説明するための図。
【図２３】本実施形態におけるゲート制御試験時のゲート試験制御装置の操作方法を説明するための図。
【図２４】本実施形態におけるゲート制御試験時のゲート試験制御装置の操作方法を説明するための図。
【図２５】本実施形態におけるゲート制御試験時のゲート試験制御装置の操作方法を説明するための図。
【図２６】本実施形態におけるゲート制御試験時のゲート試験制御装置の操作方法を説明するための図。
【図２７】本実施形態におけるゲート制御試験時のゲート試験制御装置の操作方法を説明するための図。
【発明を実施するための形態】
【０００７】
以下、実施形態のゲート試験制御装置を、図面を参照して説明する。
図１は、実施形態のゲート制御試験システム１００のシステム構成を示す図である。ゲート制御試験システム１００は、ゲート制御試験を行うためのシステムである。ゲート制御試験システム１００は、例えば工場内でゲート制御試験を行う場合に適用される。
ゲート制御試験システム１００は、放流操作装置１０、入出力装置２０、機側盤３０、ゲート試験制御装置４０及びゲート試験器５０を備える。
【０００８】
放流操作装置１０は、管理者の操作に応じて、ゲートの開放又は閉鎖の指令を含む起動指令と、目標開度の情報を入出力装置２０に出力する。放流操作装置１０は、ＦＡパソコン又はＰＬＣ（programmable logic controller）を用いて構成される。
入出力装置２０は、放流操作装置１０と機側盤３０との間で情報の入出力を行う。例えば、入出力装置２０は、放流操作装置１０から送信された起動指令と、目標開度の情報を機側盤３０に送信する。例えば、入出力装置２０は、目標開度アンサー及び目標開度到達信号を機側盤３０から受信する。入出力装置２０は、受信した目標開度到達信号を放流操作装置１０に送信する。入出力装置２０は、ＰＬＣを用いて構成される。
【０００９】
機側盤３０は、入出力装置２０から送信された起動指令をゲート試験器５０に送信する。機側盤３０は、開度及び放流量をゲート試験器５０から受信する。また、機側盤３０は、ゲートの開閉制御における状態情報をゲート試験制御装置４０から受信する。状態情報とは、ゲートの開放又は閉鎖に関する状態を表す情報であり、例えば全開、開中、閉中及び全閉等の情報である。全開は、ゲートの開放時の開度が目標開度に達して、ゲートが開放されたことを表す。開中は、ゲートが開放中であることを表す。閉中は、ゲートが閉鎖中であることを表す。全閉は、ゲートの閉鎖時の開度が目標開度に達して、ゲートが閉鎖されたことを表す。機側盤３０は、ＰＬＣを用いて構成される。
【００１０】
ゲート試験制御装置４０は、異常状況を模擬的に作ることができる装置である。ゲート試験制御装置４０は、機側盤３０とゲート試験器５０との間に設けられる。異常状況を模擬的に作るとは、実際に異常状況が発生していなくても、異常状況が発生していると認識させる状況を作ることを意味する。
ゲート試験器５０は、機側盤３０から送信された起動指令に従って、ゲートの開閉制御を模擬的に行う。ゲートの開閉制御を模擬的に行うとは、実際にゲートの開放又は閉鎖の制御を行わず、仮想的にゲートの開放又は閉鎖の制御を行うことを意味する。ゲート試験器５０は、開度及び放流量を機側盤３０に送信する。
【００１１】
次に、機側盤３０及びゲート試験器５０についてさらに詳細に説明する。
機側盤３０は、制御部３１及び伝送部３２を備える。
制御部３１は、機側盤３０の各機能を制御する機能部である。例えば、制御部３１は、伝送部３２を制御して、起動指令をゲート試験器５０に送信させる。また、例えば、制御部３１は、伝送部３２を介して受信された状態情報に基づいて異常を判定する。
【００１２】
伝送部３２は、ゲート試験制御装置４０と接続するための信号線及びゲート試験器５０と接続するための信号線を有するコネクタである。例えば、ゲート試験制御装置４０と接続する信号線には、少なくとも全開、開中、閉中及び全閉それぞれの状態を判定するための複数の信号線がある。また、例えば、ゲート試験器５０と接続する信号線には、少なくとも起動指令を送信するための信号線と、開度及び放流量を受信するための信号線がある。
【００１３】
ゲート試験器５０は、駆動装置５１、開度計５２及び流量計５３を備える。
駆動装置５１は、機側盤３０から送信された起動指令に応じて、ゲートの開閉制御を模擬的に行う装置である。例えば、起動指令に「開放」の指示が含まれている場合、駆動装置５１はゲートの開放制御を模擬的に行う。また、例えば、起動指令に「閉鎖」の指示が含まれている場合、駆動装置５１はゲートの閉鎖制御を模擬的に行う。
【００１４】
開度計５２は、開度を計測するセンサである。開度計５２は、定期的又は予め定められたタイミングで、計測した開度を機側盤３０に送信する。
流量計５３は、流量を計測するセンサである。流量計５３は、定期的又は予め定められたタイミングで、計測した流量を機側盤３０に送信する。
【００１５】
ゲート試験器５０には、機側盤３０と接続するための信号線及びゲート試験制御装置４０と接続するための信号線を有するコネクタがある。例えば、機側盤３０と接続する信号線には、少なくとも起動指令を受信するための信号線と、開度及び放流量を送信するための信号線がある。また、例えば、ゲート試験制御装置４０と接続する信号線には、少なくとも全開、開中、閉中及び全閉それぞれの状態を表す状態情報を送信するための複数の信号線がある。
【００１６】
図２は、本実施形態におけるゲート試験制御装置４０の外観図である。
ゲート試験制御装置４０は、機側盤側コネクタ４１、ゲート試験器側コネクタ４２、強制ボタン４３及び遮断ボタン４４を備える。また、ゲート試験制御装置４０の表面には、注意ラベル４５が貼付されている。
機側盤側コネクタ４１は、機側盤３０と接続するための複数の信号線を有するコネクタである。例えば、機側盤側コネクタ４１には、少なくとも「全開」に対応する信号線、「開中」に対応する信号線、「閉中」に対応する信号線及び「全閉」に対応する信号線がある。機側盤側コネクタ４１は、所定の信号線を介して信号を機側盤３０に出力する。
ゲート試験器側コネクタ４２は、ゲート試験器５０と接続するための複数の信号線を有するコネクタである。ゲート試験器側コネクタ４２は、ゲート試験器５０から出力される信号を所定の信号線を介して自装置に入力する。
【００１７】
強制ボタン４３（第１のボタン）は、任意の状態を示す信号を強制的に出力させるためのボタンである。ここで、任意の状態を示す信号を強制的に出力させるとは、ゲート試験器５０からの信号の入力によらず、任意の状態を示す信号を出力させることを意味する。強制ボタン４３は、強制全開ボタン４３１、強制開中ボタン４３２、強制閉中ボタン４３３及び強制全閉ボタン４３４を含む。強制全開ボタン４３１、強制開中ボタン４３２、強制閉中ボタン４３３及び強制全閉ボタン４３４は、照光式の押しボタンである。強制全開ボタン４３１、強制開中ボタン４３２、強制閉中ボタン４３３及び強制全閉ボタン４３４のいずれかがＯＮ状態である場合、ＯＮ状態であるボタンが点灯する。このように、強制ボタン４３は、ゲートの開閉状態を表す全開、開中、閉中及び全閉のいずれかの状態に対応する信号を出力させる。
【００１８】
強制全開ボタン４３１は、「全開」に対応する信号線を介して信号を強制的に出力させるためのボタンである。強制全開ボタン４３１がＯＮ状態である場合、「全開」に対応する信号線を介して信号が機側盤３０に出力される。
強制開中ボタン４３２は、「開中」に対応する信号線を介して信号を強制的に出力させるためのボタンである。強制開中ボタン４３２がＯＮ状態である場合、「開中」に対応する信号線を介して信号が機側盤３０に出力される。
【００１９】
強制閉中ボタン４３３は、「閉中」に対応する信号線を介して信号を強制的に出力させるためのボタンである。強制閉中ボタン４３３がＯＮ状態である場合、「閉中」に対応する信号線を介して信号が機側盤３０に出力される。
強制全閉ボタン４３４は、「全閉」に対応する信号線を介して信号を強制的に出力させるためのボタンである。強制全閉ボタン４３４がＯＮ状態である場合、「全閉」に対応する信号線を介して信号が機側盤３０に出力される。
【００２０】
遮断ボタン４４（第２のボタン）は、任意の状態を示す信号の出力を強制的に遮断させるためのボタンである。ここで、任意の状態を示す信号の出力を強制的に遮断させるとは、ゲート試験器５０から入力された任意の状態を示す信号を機側盤３０に出力させないことを意味する。遮断ボタン４４は、遮断全開ボタン４４１、遮断開中ボタン４４２、遮断閉中ボタン４４３及び遮断全閉ボタン４４４を含む。遮断全開ボタン４４１、遮断開中ボタン４４２、遮断閉中ボタン４４３及び遮断全閉ボタン４４４は、照光式の押しボタンである。遮断全開ボタン４４１、遮断開中ボタン４４２、遮断閉中ボタン４４３及び遮断全閉ボタン４４４のいずれかがＯＦＦ状態である場合、ＯＦＦ状態であるボタンが点灯する。このように、遮断ボタン４４は、全開、開中、閉中及び全閉のいずれかの状態に対応する信号の出力を遮断させる。
【００２１】
遮断全開ボタン４４１は、「全開」に対応する信号線を介した信号の出力を強制的に遮断させるためのボタンである。遮断全開ボタン４４１がＯＦＦ状態である場合、「全開」に対応する信号線を介した信号の出力が強制的に遮断される。すなわち、遮断全開ボタン４４１がＯＦＦ状態である場合、「全開」に対応する信号線から信号が出力されない。例えば、遮断全開ボタン４４１がＯＦＦ状態である場合、ゲート試験器側コネクタ４２の「全開」に対応する信号線を介してゲート試験器５０から信号がゲート試験制御装置４０に入力されたとしても、「全開」に対応する信号線から信号が出力されない。
【００２２】
一方、遮断全開ボタン４４１がＯＮ状態である場合、「全開」に対応する信号線を介した信号が機側盤３０に出力される。すなわち、遮断全開ボタン４４１がＯＮ状態である場合、「全開」に対応する信号線から信号が出力される。例えば、遮断全開ボタン４４１がＯＮ状態である場合、ゲート試験器側コネクタ４２の「全開」に対応する信号線を介してゲート試験器５０から信号がゲート試験制御装置４０に入力されると、「全開」に対応する信号線から信号が出力される。
【００２３】
遮断開中ボタン４４２は、「開中」に対応する信号線を介した信号の出力を強制的に遮断させるためのボタンである。遮断開中ボタン４４２がＯＦＦ状態である場合、「開中」に対応する信号線を介した信号の出力が強制的に遮断される。すなわち、遮断開中ボタン４４２がＯＦＦ状態である場合、「開中」に対応する信号線から信号が出力されない。例えば、遮断開中ボタン４４２がＯＦＦ状態である場合、ゲート試験器側コネクタ４２の「開中」に対応する信号線を介してゲート試験器５０から信号がゲート試験制御装置４０に入力されたとしても、「開中」に対応する信号線から信号が出力されない。
【００２４】
一方、遮断開中ボタン４４２がＯＮ状態である場合、「開中」に対応する信号線を介した信号が機側盤３０に出力される。すなわち、遮断開中ボタン４４２がＯＮ状態である場合、「開中」に対応する信号線から信号が出力される。例えば、遮断開中ボタン４４２がＯＮ状態である場合、ゲート試験器側コネクタ４２の「開中」に対応する信号線を介してゲート試験器５０から信号がゲート試験制御装置４０に入力されると、「開中」に対応する信号線から信号が出力される。
【００２５】
遮断閉中ボタン４４３は、「閉中」に対応する信号線を介した信号の出力を強制的に遮断させるためのボタンである。遮断閉中ボタン４４３がＯＦＦ状態である場合、「閉中」に対応する信号線を介した信号の出力が強制的に遮断される。すなわち、遮断閉中ボタン４４３がＯＦＦ状態である場合、「閉中」に対応する信号線から信号が出力されない。例えば、遮断閉中ボタン４４３がＯＦＦ状態である場合、ゲート試験器側コネクタ４２の「閉中」に対応する信号線を介してゲート試験器５０から信号がゲート試験制御装置４０に入力されたとしても、「閉中」に対応する信号線から信号が出力されない。
【００２６】
一方、遮断閉中ボタン４４３がＯＮ状態である場合、「閉中」に対応する信号線を介した信号が機側盤３０に出力される。すなわち、遮断閉中ボタン４４３がＯＮ状態である場合、「閉中」に対応する信号線から信号が出力される。例えば、遮断閉中ボタン４４３がＯＮ状態である場合、ゲート試験器側コネクタ４２の「閉中」に対応する信号線を介してゲート試験器５０から信号がゲート試験制御装置４０に入力されると、「閉中」に対応する信号線から信号が出力される。
【００２７】
遮断全閉ボタン４４４は、「全閉」に対応する信号線を介した信号の出力を強制的に遮断させるためのボタンである。遮断全閉ボタン４４４がＯＦＦ状態である場合、「全閉」に対応する信号線を介した信号の出力が強制的に遮断される。すなわち、遮断全閉ボタン４４４がＯＦＦ状態である場合、「全閉」に対応する信号線から信号が出力されない。例えば、遮断全閉ボタン４４４がＯＦＦ状態である場合、ゲート試験器側コネクタ４２の「全閉」に対応する信号線を介してゲート試験器５０から信号がゲート試験制御装置４０に入力されたとしても、「全閉」に対応する信号線から信号が出力されない。
【００２８】
一方、遮断全閉ボタン４４４がＯＮ状態である場合、「全閉」に対応する信号線を介した信号が機側盤３０に出力される。すなわち、遮断全閉ボタン４４４がＯＮ状態である場合、「全閉」に対応する信号線から信号が出力される。例えば、遮断全閉ボタン４４４がＯＮ状態である場合、ゲート試験器側コネクタ４２の「全閉」に対応する信号線を介してゲート試験器５０から信号がゲート試験制御装置４０に入力されると、「全閉」に対応する信号線から信号が出力される。
【００２９】
注意ラベル４５は、使用者に対して注意を促すためのラベルである。強制ボタン４３のいずれかのボタンがＯＮ状態、又は、遮断ボタン４４のいずれかのボタンがＯＦＦ状態で片付けてしまうと、次回の使用時に悪影響（装置故障、試験ミス）を及ぼしてしまう可能性がある。したがって、使用後には、強制ボタン４３を全てＯＦＦ状態、遮断ボタン４４を全てＯＮ状態で片付けることが必要である。そこで、注意ラベル４５には、例えば「試験終了時は強制ボタンを全てＯＦＦ、遮断ボタンを全てＯＮの状態に戻すこと」との文字列が記載される。
【００３０】
上述したように、強制ボタン４３が全てＯＦＦ状態、遮断ボタン４４が全てＯＮ状態である場合、ゲート試験器５０から出力された信号がそのまま機側盤３０に出力される。これは、何ら異常を発生させていない正常時の状態を表す。以下の説明では、強制ボタン４３が全てＯＦＦ状態、遮断ボタン４４が全てＯＮ状態である状態を初期状態と称する。そして、異常状況を発生させたい場合には、強制ボタン４３又は遮断ボタン４４のいずれか一方又は両方を操作することによって、模擬的に任意の状態の信号を出力させることができる。
【００３１】
図３は、ゲート制御試験の試験項目に対する強制ボタン４３及び遮断ボタン４４の操作方法を示す図である。
図３に示すように、試験項目の異常名毎に、強制ボタン４３及び遮断ボタン４４の操作方法が示されている。試験項目の異常名は、ゲート制御試験の試験項目としての異常時の名称を表す。図３において、試験項目の異常名として、「不正動作逆動作異常」、「信号不良制御中信号異常」、「不正動作停止時信号異常」、「制御渋滞起動時信号異常」及び「一定時間経過後も目標開度に到達しない」が示されている。
【００３２】
異常時の「開方向」は、ゲートの開放の制御の異常時を模擬的に試験する際の強制ボタン４３及び遮断ボタン４４の操作方法を表す。
異常時の「閉方向」は、ゲートの閉鎖の制御の異常時を模擬的に試験する際の強制ボタン４３及び遮断ボタン４４の操作方法を表す。
【００３３】
使用者は、図３に示す操作方法に従って、強制ボタン４３及び遮断ボタン４４を操作することによって、異常状態を模擬的に発生させることができる。例えば、図３では、ゲートの開放の制御時に「不正動作逆動作異常」を発生させたい場合には、使用者は強制ボタン４３の強制開中ボタン４３２をＯＮ状態にし、遮断ボタン４４の遮断開中ボタン４４２及び遮断閉中ボタン４４３をＯＦＦ状態にすることによって「不正動作逆動作異常」を発生させることができることが表されている。
【００３４】
図４は、本実施形態におけるゲート試験制御装置４０の内部構成を示す図である。
ゲート試験制御装置４０は、制御回路４６を備える。制御回路４６は、図５に示すような構成を有しており、強制ボタン４３及び遮断ボタン４４の操作により異常状態を模擬的に発生させる。
【００３５】
図５は、本実施形態における制御回路４６の構成を示す図である。
制御回路４６は、複数の信号線４６１〜４６５を含んで構成される。
信号線４６１（第１の信号線）は、共通して利用される信号線である。
信号線４６２（第２の信号線）は、「全開」に対応する信号線である。信号線４６２には、ＳＷ１、ランプＬ１及びマグネット１（可動接点制御部）が設けられる。ＳＷ１及びランプＬ１は、遮断全開ボタン４４１を構成する。ＳＷ１は押しボタン式のスイッチである。ランプＬ１は、例えばＬＥＤランプである。ＳＷ１がＯＮ状態になった場合、導通して信号線４６２上に電流が流れる。これにより、ランプＬ１が点灯する。また、マグネット１が電磁石になる。なお、本実施形態では、マグネット１が、電磁力を利用して開閉部１ａの動作を制御する構成を例に説明するが、開閉部１ａの動作を制御する構成はマグネットに限定される必要はない。例えば、マグネットに変えてコイルが用いられてもよい。
【００３６】
信号線４６３（第２の信号線）は、「開中」に対応する信号線である。信号線４６３には、ＳＷ２、ランプＬ２及びマグネット２が設けられる。ＳＷ２及びランプＬ２は、遮断開中ボタン４４２を構成する。ＳＷ２は押しボタン式のスイッチである。ランプＬ２は、例えばＬＥＤランプであるＳＷ２がＯＮ状態になった場合、導通して信号線４６３上に電流が流れる。これにより、ランプＬ２が点灯する。また、マグネット２が電磁石になる。
【００３７】
信号線４６４（第２の信号線）は、「閉中」に対応する信号線である。信号線４６４には、ＳＷ３、ランプＬ３及びマグネット３が設けられる。ＳＷ３及びランプＬ３は、遮断閉中ボタン４４３を構成する。ＳＷ３は押しボタン式のスイッチである。ランプＬ３は、例えばＬＥＤランプであるＳＷ３がＯＮ状態になった場合、導通して信号線４６４上に電流が流れる。これにより、ランプＬ３が点灯する。また、マグネット３が電磁石になる。
【００３８】
信号線４６５（第２の信号線）は、「全閉」に対応する信号線である。信号線４６５には、ＳＷ４、ランプＬ４及びマグネット４が設けられる。ＳＷ４及びランプＬ４は、遮断全閉ボタン４４４を構成する。ＳＷ４は押しボタン式のスイッチである。ランプＬ４は、例えばＬＥＤランプであるＳＷ４がＯＮ状態になった場合、導通して信号線４６５上に電流が流れる。これにより、ランプＬ４が点灯する。また、マグネット４が電磁石になる。
【００３９】
信号線４６１の接点４６６と、信号線４６２の接点４６７との間の信号線には、ランプＬ５、ＳＷ５及び開閉部１ａが設けられる。開閉部１ａは、マグネット１の状態により開閉する。マグネット１が電磁石である場合、開閉部１ａは電磁力によりマグネット１に引き付けられて開放状態となる。ランプＬ５、ＳＷ５は、強制全開ボタン４３１を構成する。ＳＷ５は押しボタン式のスイッチである。ランプＬ５は、例えばＬＥＤランプであるＳＷ５がＯＮ状態であり、開閉部１ａが閉じている場合には、導通して信号線４６１から信号線４６２上に電流が流れる。これにより、ランプＬ５が点灯する。
一方、開閉部１ａが開いている場合（開放状態の場合）には、信号線４６１から信号線４６２上に電流が流れない。そのため、ＳＷ５をＯＮ状態にしてもランプＬ５が点灯しない。
【００４０】
信号線４６１の接点４６８と、信号線４６３の接点４６９との間の信号線には、ランプＬ６、ＳＷ６及び開閉部２ａが設けられる。開閉部２ａは、マグネット２の状態により開閉する。マグネット２が電磁石である場合、開閉部２ａは電磁力によりマグネット２に引き付けられて開放状態となる。ランプＬ６、ＳＷ６は、強制開中ボタン４３２を構成する。ＳＷ６は押しボタン式のスイッチである。ランプＬ６は、例えばＬＥＤランプであるＳＷ６がＯＮ状態であり、開閉部２ａが閉じている場合には、導通して信号線４６１から信号線４６３上に電流が流れる。これにより、ランプＬ６が点灯する。
一方、開閉部２ａが開いている場合（開放状態の場合）には、信号線４６１から信号線４６３上に電流が流れない。そのため、ＳＷ６をＯＮ状態にしてもランプＬ６が点灯しない。
【００４１】
信号線４６１の接点４７０と、信号線４６４の接点４７１との間の信号線には、ランプＬ７、ＳＷ７及び開閉部３ａが設けられる。開閉部３ａは、マグネット３の状態により開閉する。マグネット３が電磁石である場合、開閉部３ａは電磁力によりマグネット３に引き付けられて開閉部３ａが開放状態となる。ランプＬ７、ＳＷ７は、強制閉中ボタン４３３を構成する。ＳＷ７は押しボタン式のスイッチである。ランプＬ７は、例えばＬＥＤランプであるＳＷ７がＯＮ状態であり、開閉部３ａが閉じている場合には、導通して信号線４６１から信号線４６４上に電流が流れる。これにより、ランプＬ７が点灯する。
一方、開閉部３ａが開いている場合（開放状態の場合）には、信号線４６１から信号線４６４上に電流が流れない。そのため、ＳＷ７をＯＮ状態にしてもランプＬ７が点灯しない。
【００４２】
信号線４６１の接点４７２と、信号線４６５の接点４７３との間の信号線には、ランプＬ８、ＳＷ８及び開閉部４ａが設けられる。開閉部４ａは、マグネット４の状態により開閉する。マグネット４が電磁石である場合、開閉部４ａは電磁力によりマグネット４に引き付けられて開閉部４ａが開放状態となる。ランプＬ８、ＳＷ８は、強制全閉ボタン４３４を構成する。ＳＷ８は押しボタン式のスイッチである。ランプＬ８は、例えばＬＥＤランプであるＳＷ８がＯＮ状態であり、開閉部４ａが閉じている場合には、導通して信号線４６１から信号線４６５上に電流が流れる。これにより、ランプＬ８が点灯する。
一方、開閉部４ａが開いている場合（開放状態の場合）には、信号線４６１から信号線４６５上に電流が流れない。そのため、ＳＷ８をＯＮ状態にしてもランプＬ８が点灯しない。
【００４３】
また、制御回路４６は、図５に示すように、特定の強制ボタン４３と遮断ボタン４４とを同時にＯＮ状態にすることを防止するインターロック機能を有するリレー回路で構成されている。本実施形態におけるゲート試験制御装置４０では、同じ経路を利用する強制ボタン４３と遮断ボタン４４とを同時にＯＮ状態にすることを防止するインターロック機能を有する。同じ経路を利用する強制ボタン４３と遮断ボタン４４とは、例えば強制全開ボタン４３１と遮断全開ボタン４４１の組み合わせ、強制開中ボタン４３２と遮断開中ボタン４４２の組み合わせ、強制閉中ボタン４３３と遮断閉中ボタン４４３の組み合わせ及び強制全閉ボタン４３４と遮断全閉ボタン４４４の組み合わせである。
【００４４】
本実施形態におけるインターロック機能について、図６及び図７を用いて具体例を挙げて説明する。図６及び図７は、本実施形態におけるインターロック機能を説明するための図である。
図６では、遮断ボタン４４の経路から信号を出力させる場合のリレー回路の動作を示す。なお、図６では、遮断ボタン４４の全てがＯＮ状態であり、強制ボタン４３のうち強制全開ボタン４３１のみがＯＮ状態である場合を示している。
【００４５】
図６に示すように、ゲート試験器５０からゲート試験制御装置４０の「全開」に対応する信号線４６２に信号が入力された場合、信号線４６２上を信号が流れ、機側盤３０に出力さる。ＳＷ１を通過する際にマグネット１が電磁石になるため開閉部１ａの接点が離れる。開閉部１ａの接点が離れたことによりオープン状態となるため、ＳＷ５が押下されても信号が出力されない。
【００４６】
図７では、強制ボタン４３の経路から信号を出力させる場合のリレー回路の動作を示す。なお、図７では、遮断ボタン４４のうち４４１のみがＯＦＦ状態であり、強制ボタン４３のうち強制全開ボタン４３１のみがＯＮ状態である場合を示している。
【００４７】
図７に示すように、ＳＷ１がＯＦＦ状態になったため、マグネット１が電磁石でなくなる。これにより、開閉部１ａが接触している状態となる。そのため、ＳＷ５をＯＮ状態にした場合、強制ボタン４３の経路から信号を出力させることができる。
以上のようなリレー回路により、ＳＷ1からＳＷ４の遮断ボタン４４と、ＳＷ５からＳＷ８の強制ボタン４４を同時にＯＮ状態にできないようにしている。
【００４８】
次に、図８〜図１７を用いて、ゲート制御試験時のゲート試験制御装置４０の操作について説明する。図８〜図１７は、本実施形態におけるゲート制御試験時のゲート試験制御装置４０の操作方法を説明するための図である。
図８では、開方向のゲート制御試験において「不正動作逆動作異常」を発生させたい場合の操作方法が示されている。具体的には、強制ボタン４３については、強制閉中ボタン４３３をＯＮ状態、強制全開ボタン４３１、強制開中ボタン４３２及び強制全閉ボタン４３４をＯＦＦ状態にすることが示されている。また、遮断ボタン４４については、遮断全開ボタン４４１及び遮断全閉ボタン４４４をＯＮ状態、遮断開中ボタン４４２及び遮断閉中ボタン４４３をＯＦＦ状態にすることが示されている。
【００４９】
図８に示すように、強制ボタン４３及び遮断ボタン４４が操作されると、制御回路４６は図９に示すような回路構成に切り替えられる。図９に示すように、ゲート試験器５０からゲート試験制御装置４０の「開中」に対応する信号線４６３に信号が入力された場合、ゲート試験器５０から入力された信号の流れが遮断される。一方で、強制閉中ボタン４３３がＯＮ状態であり、遮断閉中ボタン４４３がＯＦＦ状態であるため、信号線４６１から信号線４６４上に電流が流れる。これにより、「閉中」に対応する信号線４６４から機側盤３０に信号が出力される。この場合、機側盤３０は、本来、「開中」に対応する信号線４６３から信号が入力されるはずが「閉中」に対応する信号線４６４から信号が入力されているため逆動作異常が発生していると判定する。
【００５０】
図１０では、閉方向のゲート制御試験において「不正動作逆動作異常」を発生させたい場合の操作方法が示されている。具体的には、強制ボタン４３については、強制開中ボタン４３２をＯＮ状態、強制全開ボタン４３１、強制閉中ボタン４３３及び強制全閉ボタン４３４をＯＦＦ状態にすることが示されている。また、遮断ボタン４４については、遮断全開ボタン４４１及び遮断全閉ボタン４４４をＯＮ状態、遮断開中ボタン４４２及び遮断閉中ボタン４４３をＯＦＦ状態にすることが示されている。
【００５１】
図１０に示すように、強制ボタン４３及び遮断ボタン４４が操作されると、制御回路４６は図１１に示すような回路構成に切り替えられる。図１１に示すように、ゲート試験器５０からゲート試験制御装置４０の「閉中」に対応する信号線４６４に信号が入力された場合、ゲート試験器５０から入力された信号の流れが遮断される。一方で、強制開中ボタン４３２がＯＮ状態であり、遮断開中ボタン４４２がＯＦＦ状態であるため、信号線４６１から信号線４６３上に電流が流れる。これにより、「開中」に対応する信号線４６３から機側盤３０に信号が出力される。この場合、機側盤３０は、本来、「閉中」に対応する信号線４６４から信号が入力されるはずが「開中」に対応する信号線４６３から信号が入力されているため逆動作異常が発生していると判定する。
【００５２】
図１２では、開方向のゲート制御試験において「信号不良制御中信号異常」を発生させたい場合の操作方法が示されている。具体的には、強制ボタン４３については、全てＯＦＦ状態にすることが示されている。また、遮断ボタン４４については、遮断全開ボタン４４１をＯＦＦ状態、遮断開中ボタン４４２、遮断閉中ボタン４４３及び遮断全閉ボタン４４４をＯＮ状態にすることが示されている。
【００５３】
図１２に示すように、強制ボタン４３及び遮断ボタン４４が操作されると、制御回路４６は図１３に示すような回路構成に切り替えられる。図１３に示すように、ゲート試験器５０からゲート試験制御装置４０の「全開」に対応する信号線４６２に信号が入力された場合、ゲート試験器５０から入力された信号の流れが遮断される。この場合、目標開度に達したとしても機側盤３０に「全開」に対応する信号線４６２から信号が入力されない。そのため、機側盤３０は、信号不良制御中信号異常が発生していると判定する。
【００５４】
図１４では、閉方向のゲート制御試験において「信号不良制御中信号異常」を発生させたい場合の操作方法が示されている。具体的には、強制ボタン４３については、全てＯＦＦ状態にすることが示されている。また、遮断ボタン４４については、遮断全閉ボタン４４４をＯＦＦ状態、遮断全開ボタン４４１、遮断開中ボタン４４２及び遮断閉中ボタン４４３をＯＮ状態にすることが示されている。
【００５５】
図１４に示すように、強制ボタン４３及び遮断ボタン４４が操作されると、制御回路４６は図１５に示すような回路構成に切り替えられる。図１５に示すように、ゲート試験器５０からゲート試験制御装置４０の「全閉」に対応する信号線４６５に信号が入力された場合、ゲート試験器５０から入力された信号の流れが遮断される。この場合、目標開度に達したとしても機側盤３０に「全閉」に対応する信号線４６５から信号が入力されない。そのため、機側盤３０は、信号不良制御中信号異常が発生していると判定する。
【００５６】
図１６では、開方向のゲート制御試験において「不正動作停止時信号異常」を発生させたい場合の操作方法が示されている。具体的には、強制ボタン４３については、強制開中ボタン４３２をＯＮ状態、強制全開ボタン４３１、強制閉中ボタン４３３及び強制全閉ボタン４３４をＯＦＦ状態にすることが示されている。また、遮断ボタン４４については、遮断開中ボタン４４２をＯＦＦ状態、遮断全開ボタン４４１、遮断閉中ボタン４４３及び遮断全閉ボタン４４４をＯＮ状態にすることが示されている。
【００５７】
図１６に示すように、強制ボタン４３及び遮断ボタン４４が操作されると、制御回路４６は図１７に示すような回路構成に切り替えられる。図１７に示すように、ゲート試験器５０からゲート試験制御装置４０の「全開」に対応する信号線４６２に信号が入力された場合、ゲート試験器５０から入力された信号が「全開」に対応する信号線４６２を介して機側盤３０に出力される。また、強制開中ボタン４３２がＯＮ状態であり、遮断開中ボタン４４２がＯＦＦ状態であるため、信号線４６１から信号線４６３上に電流が流れる。これにより、「開中」に対応する信号線４６３からも機側盤３０に信号が出力される。この場合、機側盤３０は、本来、目標開度に達していているにもかかわらず「開中」に対応する信号線４６３から信号が入力されているため不正動作停止時信号異常が発生していると判定する。
【００５８】
図１８では、閉方向のゲート制御試験において「不正動作停止時信号異常」を発生させたい場合の操作方法が示されている。強制ボタン４３については、強制閉中ボタン４３３をＯＮ状態、強制全開ボタン４３１、強制開中ボタン４３２及び強制全閉ボタン４３４をＯＦＦ状態にすることが示されている。また、遮断ボタン４４については、遮断閉中ボタン４４３をＯＦＦ状態、遮断全開ボタン４４１、遮断開中ボタン４４２及び遮断全閉ボタン４４４をＯＮ状態にすることが示されている。
【００５９】
図１８に示すように、強制ボタン４３及び遮断ボタン４４が操作されると、制御回路４６は図１９に示すような回路構成に切り替えられる。図１９に示すように、ゲート試験器５０からゲート試験制御装置４０の「全閉」に対応する信号線４６５に信号が入力された場合、ゲート試験器５０から入力された信号が「全閉」に対応する信号線４６５を介して機側盤３０に出力される。また、強制閉中ボタン４３３がＯＮ状態であり、遮断閉中ボタン４４３がＯＦＦ状態であるため、信号線４６１から信号線４６４上に電流が流れる。これにより、「閉中」に対応する信号線４６４からも機側盤３０に信号が出力される。この場合、機側盤３０は、本来、目標開度に達していているにもかかわらず「閉中」に対応する信号線４６４から信号が入力されているため不正動作停止時信号異常が発生していると判定する。
【００６０】
図２０では、開方向のゲート制御試験において「制御渋滞起動時信号異常」を発生させたい場合の操作方法が示されている。具体的には、強制ボタン４３については、全てＯＦＦ状態にすることが示されている。また、遮断ボタン４４については、遮断開中ボタン４４２をＯＦＦ状態、遮断全開ボタン４４１、遮断閉中ボタン４４３及び遮断全閉ボタン４４４をＯＮ状態にすることが示されている。
【００６１】
図２０に示すように、強制ボタン４３及び遮断ボタン４４が操作されると、制御回路４６は図２１に示すような回路構成に切り替えられる。図２１に示すように、ゲート試験器５０からゲート試験制御装置４０の「開中」に対応する信号線４６３に信号が入力された場合、ゲート試験器５０から入力された信号の流れが遮断される。この場合、開放制御の起動開始時にもかかわらず機側盤３０に「開中」に対応する信号線４６３から信号が入力されない。そのため、機側盤３０は、制御渋滞起動時信号異常が発生していると判定する。
【００６２】
図２２では、閉方向のゲート制御試験において「制御渋滞起動時信号異常」を発生させたい場合の操作方法が示されている。具体的には、強制ボタン４３については、全てＯＦＦ状態にすることが示されている。また、遮断ボタン４４については、遮断閉中ボタン４４３をＯＦＦ状態、遮断全開ボタン４４１、遮断開中ボタン４４２及び遮断全閉ボタン４４４をＯＮ状態にすることが示されている。
【００６３】
図２２に示すように、強制ボタン４３及び遮断ボタン４４が操作されると、制御回路４６は図２３に示すような回路構成に切り替えられる。図２３に示すように、ゲート試験器５０からゲート試験制御装置４０の「閉中」に対応する信号線４６４に信号が入力された場合、ゲート試験器５０から入力された信号の流れが遮断される。この場合、閉鎖制御の起動開始時にもかかわらず機側盤３０に「閉中」に対応する信号線４６４から信号が入力されない。そのため、機側盤３０は、制御渋滞起動時信号異常が発生していると判定する。
【００６４】
図２４では、開方向のゲート制御試験において「一定時間経過後も目標開度に到達しない」を発生させたい場合の操作方法が示されている。具体的には、強制ボタン４３については、強制開中ボタン４３２をＯＮ状態、強制全開ボタン４３１、強制閉中ボタン４３３及び強制全閉ボタン４３４をＯＦＦ状態にすることが示されている。また、遮断ボタン４４については、遮断全開ボタン４４１及び遮断開中ボタン４４２をＯＦＦ状態、遮断閉中ボタン４４３及び遮断全閉ボタン４４４をＯＮ状態にすることが示されている。
【００６５】
図２４に示すように、強制ボタン４３及び遮断ボタン４４が操作されると、制御回路４６は図２５に示すような回路構成に切り替えられる。図２５に示すように、ゲート試験器５０からゲート試験制御装置４０の「全開」に対応する信号線４６２に信号が入力された場合、ゲート試験器５０から入力された信号の流れが遮断される。一方で、強制開中ボタン４３２がＯＮ状態であり、遮断開中ボタン４４２がＯＦＦ状態であるため、信号線４６１から信号線４６３上に電流が流れる。これにより、「開中」に対応する信号線４６３から機側盤３０に信号が出力される。しかしながら、遮断全開ボタン４４１がＯＦＦ状態であるため、一定時間経過後も機側盤３０に「全開」に対応する信号線４６２から信号が入力されない。そのため、機側盤３０は、一定時間経過後も目標開度に到達しない異常が発生していると判定する。
【００６６】
図２５では、閉方向のゲート制御試験において「一定時間経過後も目標開度に到達しない」を発生させたい場合の操作方法が示されている。具体的には、強制ボタン４３については、強制閉中ボタン４３３をＯＮ状態、強制全開ボタン４３１、強制開中ボタン４３２及び強制全閉ボタン４３４をＯＦＦ状態にすることが示されている。また、遮断ボタン４４については、遮断閉中ボタン４４３及び遮断全閉ボタン４４４をＯＦＦ状態、遮断全開ボタン４４１及び遮断開中ボタン４４２をＯＮ状態にすることが示されている。
【００６７】
図２５に示すように、強制ボタン４３及び遮断ボタン４４が操作されると、制御回路４６は図２６に示すような回路構成に切り替えられる。図２６に示すように、ゲート試験器５０からゲート試験制御装置４０の「全閉」に対応する信号線４６５に信号が入力された場合、ゲート試験器５０から入力された信号の流れが遮断される。一方で、強制閉中ボタン４３３がＯＮ状態であり、遮断閉中ボタン４４３がＯＦＦ状態であるため、信号線４６１から信号線４６４上に電流が流れる。これにより、「閉中」に対応する信号線４６４から機側盤３０に信号が出力される。しかしながら、遮断全閉ボタン４４４がＯＦＦ状態であるため、一定時間経過後も機側盤３０に「全閉」に対応する信号線４６５から信号が入力されない。そのため、機側盤３０は、一定時間経過後も目標開度に到達しない異常が発生していると判定する。
【００６８】
以上のように構成されたゲート試験制御装置４０によれば、簡便にゲート制御試験を行うことが可能になる。具体的には、ゲート試験器５０と機側盤３０との間の配線を変更する事無く、ゲート試験制御装置４０のボタン操作により異常状態を発生できる。これにより、配線の変更作業が不要となるため、変更作業に要する手間と時間を削減することができる。さらに、試験が効率的になるとともに、誤配線による試験後戻りを削減できる。そのため、簡便にゲート制御試験を行うことが可能になる。
【００６９】
また、従来では、ゲート制御試験を行うためには、機側盤のコネクタに挿し込まれている電線を外して配線を変更するため、配線の変更作業が電線の劣化の進行を進めてしまうこともあった。それに対して、ゲート試験制御装置４０は、配線の変更作業が無くなるため、電線の劣化の進行を抑制することができる。さらに、ゲート試験制御装置４０を追加するだけなので新しい試験方法を導入するよりも即時性がある。また、ゲート試験制御装置４０は、ボタンやライトなど、安価な材料のみで製作できるため、コスト面でも安く抑えることができる。
【００７０】
＜ゲート試験制御装置４０の変形例＞
本実施形態では、ゲート試験制御装置４０に貼付された注意ラベル４５で使用者に対して、強制ボタン４３及び遮断ボタン４４を初期状態に戻すように促す構成を示した。しかしながら、ゲート試験制御装置４０は、強制ボタン４３及び遮断ボタン４４を初期状態に戻すための初期状態ボタンをさらに備えるように構成されてもよい。初期状態ボタンは、押下されたことに応じて強制ボタン４３及び遮断ボタン４４が初期状態に戻るように、強制ボタン４３及び遮断ボタン４４に接続される。
このように構成されることによって、ボタン一つで初期状態に戻すことができる。したがって、使用後に強制ボタン４３及び遮断ボタン４４をそれぞれ初期状態に戻す必要がない。そのため、簡便に初期状態に戻すことができる。
「全開」及び「全閉」の状態を出力するリレー回路にはインターロック機能が備えられていなくてもよい。具体的には、制御回路４６において、開閉部１ａ，４ａ及びマグネット１，４が備えられていなくてもよい。
【００７１】
以上説明した少なくともひとつの実施形態によれば、ダムのゲートの開閉状態を表す全開、開中、閉中及び全閉のいずれかの状態に対応する信号を出力させる第１のボタンと、全開、開中、閉中及び全閉のいずれかの状態に対応する信号の出力を遮断させる第２のボタンと、第１のボタン及び第２のボタンの操作に応じて所定の状態の信号を出力する制御回路とを持つことにより、簡便にゲート制御試験を行うことができる。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１０…放流操作装置，２０…入出力装置，３０…機側盤，３１…制御部，３２…伝送部，４０…ゲート試験制御装置，５０…ゲート試験器，５１…駆動装置，５２…開度計，５３…流量計
【図１】
2020180494.tif 000003
【図２】
2020180494.tif 000004
【図３】
2020180494.tif 000005
【図４】
2020180494.tif 000006
【図５】
2020180494.tif 000007
【図６】
2020180494.tif 000008
【図７】
2020180494.tif 000009
【図８】
2020180494.tif 000010
【図９】
2020180494.tif 000011
【図１０】
2020180494.tif 000012
【図１１】
2020180494.tif 000013
【図１２】
2020180494.tif 000014
【図１３】
2020180494.tif 000015
【図１４】
2020180494.tif 000016
【図１５】
2020180494.tif 000017
【図１６】
2020180494.tif 000018
【図１７】
2020180494.tif 000019
【図１８】
2020180494.tif 000020
【図１９】
2020180494.tif 000021
【図２０】
2020180494.tif 000022
【図２１】
2020180494.tif 000023
【図２２】
2020180494.tif 000024
【図２３】
2020180494.tif 000025
【図２４】
2020180494.tif 000026
【図２５】
2020180494.tif 000027
【図２６】
2020180494.tif 000028
【図２７】
2020180494.tif 000029